(57)【特許請求の範囲】
【請求項１】
排水ホースから流出する洗濯廃水等を排水する排水トラップにおいて、
床面開口部を覆う蓋体と、洗濯機排水ホースを接続するためのホースジョイントとがパッキンホルダーによって固定され、
前記蓋体は上面視リング形状の溝部が形成され、該溝部内周面に雌ねじ部を有し、
前記パッキンホルダーは、外方張出フランジ形状であって凸部外周面に雄ねじ部と該パッキンホルダー上面の１箇所に適正締め込み確認用のノブとを有しており、
前記ノブは、前記蓋体の雌ねじ部と前記パッキンホルダーの雄ねじ部とをパッキンを介して前記蓋体の上面と前記パッキンホルダーの上面とが面一となる位置まで該パッキンを押しつぶしてねじ込んだ際に、前記ノブの先端が前記蓋体の所定の位置まで回転していれば前記蓋体と前記パッキンホルダーとが適正に締め込まれていることを目視確認できるものであること、
を特徴とする排水トラップ。
【請求項２】
請求項１に記載の排水トラップにおいて、
前記蓋体の前記床面開口部にはめ込まれる外周面の形状が上面視長方形又は正方形となっていることを特徴とする排水トラップ。
【発明の詳細な説明】
【技術分野】
【０００１】
本発明は、洗い場、バスルームやマンションの台所、洗面所、ベランダあるいは各種キャビネット内などの床面の排水口に取り付けられる排水トラップ、特に洗濯機などの排水ホースを接続連結して用いられる排水トラップに関するものである。
【背景技術】
【０００２】
従来の排水トラップは、ホースジョイントを備えて洗濯機の排水ホースと接続され、排水ホースから流れてくる廃水（汚水）を床下に配設した排水管に案内するために用いられている。排水はホースジョイントから排水トラップ内に流れ込み、排水管側へ送られる構造となっている。
【０００３】
例えば、特許文献１の排水トラップは、トラップ機構を有する封水筒体が開放型で、排水管内に装備でき、かつ排水管内に装備しても排水流路を十分に確保できごみ類の詰り現象がなく、特に排水中の糸くずや髪毛などのごみ類の引掛かりがなく、排水トラップ機能をも十分に発揮できる。
また、洗濯機の排水ホースと接続して封水筒体が連結され、排水口の床面開口部を覆う蓋体に着脱自在に保持するので、配管接続作業や施行工事も簡便で、しかも床面に排水トラップの蓋体をネジ止めしてもこの床取付けネジ部はパッキンホルダーによって覆われてネジ部のゴミ溜まりがなく手入れが簡単で、緩み止めが確実で水漏れ現象もなく、洗濯機の排水の際に排水量が増加しても外部に溢れることなく水密状態を保って確実に排出できると共に、下流側からの臭気の逆流も確実に止めることができる排水トラップが開示されている。
【先行技術文献】
【特許文献】
【０００４】
【特許文献１】特開２００４−２４４９８１号公報
【発明の概要】
【発明が解決しようとする課題】
【０００５】
ところが、特許文献１の排水トラップは、排水口の床面開口部を覆う蓋体と、ホースジョイントがパッキンホルダーを介して接続される構造であり、蓋体とパッキンホルダーをねじ止めするためのねじ部は、床面から高く突出されて形成されている。
【０００６】
このため、排水トラップの取り外しは簡便となるが、ねじ部及びそれを覆うパッキンホルダーの占有容積が非常に大きくなってしまい、洗濯機あるいは防水パンを排水口へ寄せようとしてもパッキンホルダーにぶつかってしまい移動することができなかったり、排水トラップを跨ぐための専用台を用意しなければならないこともあり、場合によっては洗濯機あるいは防水パンのサイズが制限されてしまうという欠点があった。
【０００７】
また、特許文献１のパッキンホルダーのような略円筒形状の場合、蓋体の係合部とパッキンホルダーをねじ止めする際に、どの程度締め込めば確実に水漏れ現象もなくねじ止めされるか分からないので、必要以上にねじ込んでしまい、パッキンの劣化を早めてしまったり、場合によってはパッキンやねじ部を傷めてしまう可能性もあった。
【０００８】
また、蓋体の外周形状は円筒形状であるものが殆どであり、それに対応して床面の開口部の形状も円形となっている。このため、設置工事では、蓋体と床を係止するためのねじ穴の位置あわせが面倒である。またさらに、メンテナンス等で排水トラップを蓋体ごと取り外す必要がある場合、再度取り付ける際に、例えば開口部の上部空間が防水パン等で塞がれていると、手探りでねじ穴の位置あわせを行わなければならないという欠点もあった。
【０００９】
本発明は、これら従来の不便さを排除しようとするもので、蓋体と、ホースジョイントの接続部を省スペース化することにより、洗濯機あるいは防水パンの設置の自由度を高め、また、前記接続部の締め込みが確実で一目瞭然となることによってメンテナンス等が簡便になり、また、設置工事等での床との係合が簡便で迅速に行うことができる排水トラップを提供することを目的とする。
【課題を解決するための手段】
【００１０】
本発明は、上述した課題を解決するためになされたものであり、請求項１に記載の排水トラップは、排水ホースから流出する洗濯廃水等を排水する排水トラップにおいて、床面開口部を覆う蓋体と、洗濯機排水ホースを接続するためのホースジョイントとがパッキンホルダーによって固定され、前記蓋体は上面視リング形状の溝部が形成され、該溝部内周面に雌ねじ部を有し、前記パッキンホルダーは、外方張出フランジ形状であって凸部外周面に雄ねじ部と該パッキンホルダー上面の１箇所に適正締め込み確認用のノブとを有しており、前記ノブは、前記蓋体の雌ねじ部と前記パッキンホルダーの雄ねじ部とをパッキンを介して前記蓋体の上面と前記パッキンホルダーの上面とが面一となる位置まで該パッキンを押しつぶしてねじ込んだ際に、前記ノブの先端が前記蓋体の所定の位置まで回転していれば前記蓋体と前記パッキンホルダーとが適正に締め込まれていることを目視確認できるものであること、を特徴としている。
【００１２】
また、請求項２に記載の排水トラップは、請求項１に記載の排水トラップにおいて、前記蓋体の前記床面開口部にはめ込まれる外周面の形状が上面視長方形又は正方形となっていることを特徴としている。
【発明の効果】
【００１３】
請求項１に記載の排水トラップは、蓋体及びパッキンホルダーの床面から上面までの高さが非常に低いので、洗濯機や防水パンの設置や移動の邪魔にならず、スペースを有効活用することができるという非常に優れた利点がある。
【００１４】
また、排水トラップのパッキンホルダーにはノブが設けられて、開閉動作の補助ができるとともに、所定の位置までねじ込むことにより締め込み確認ができるので、ねじ込みすぎによるパッキンの劣化や、パッキンやねじ部の破損を予防することができる。
【００１５】
また、請求項２に記載の排水トラップの蓋体の床面開口部にはめ込まれる外周面の形状が、床面に敷かれるタイル等のうち排水管付近の１枚もしくは複数枚敷かずにおいてできた長方形又は正方形の床面開口部の形状に合わせた上面視長方形又は正方形になっていて、排水トラップをぴったりとはめ込むことができる。また、床面に設けられた排水トラップ取り付け用のねじ穴と排水トラップのねじ穴は、床面開口部に排水トラップをはめ込むだけで位置決めされるので、従来の円形状の蓋体で問題となっていた、位置あわせの煩わしさから解放されるという利点がある。
【図面の簡単な説明】
【００１６】
【図１】本発明に係る排水トラップの一実施形態を示す。（ａ）は上面図、（ｂ）は縦断面図、（ｃ）は右側面図を示す。
【図２】本発明に係る排水トラップの蓋体を示す。（ａ）は上面図、（ｂ）は縦断面図、（ｃ）は底面図を示す。
【図３】本発明に係る排水トラップのパッキンホルダーを示す。（ａ）は上面図、（ｂ）は縦断面図を示す。
【発明を実施するための形態】
【００１７】
本発明に係る排水トラップの実施形態について図面を参照しながら説明する。先ず、本発明の排水トラップは、洗い場或いはバスルームやマンションの台所、洗面所、ベランダ或いは各種キャビネット内などに設置されるものであり、防水パンに本発明の排水トラップを一体に組み込んで使用することも可能であるが、防水パンを使用することなく、床面に排水トラップを設置することが可能な排水トラップに関するものであり、以下、後者の使用例の排水トラップについて図面を参照し説明する。
【００１８】
図１は一実施形態を示す排水トラップ１０の上面図及び縦断面図である。
床面Ａの所定の位置に排水管Ｃが設けられ、その排水管Ｃを中心として略正方形の溝状の床面開口部Ｂが設けられている。
排水トラップ１０は床面開口部Ｂを覆い床面Ａ上に載置固定される。蓋体１１は床面開口部Ｂにはめ込まれてねじ部１１ｅにねじを差し込んで床面Ａと載置固定され、蓋体１１にはホースジョイント１２と封水筒体１４が納められて排水トラップ１０を構成する。また、蓋体１１とホースジョイント１２とを回転可能に係止結合するための部材としてパッキンホルダー１３が用いられる。なお、パッキンホルダー１３によって蓋体１１とホースジョイント１２に係止結合される際には、その間にゴムパッキンなどのパッキン１５を介して係止結合する。
【００１９】
蓋体１１とパッキンホルダー１３の係合には、蓋体１１の内部に形成されたリング状の溝形状のホース接続部１１ｃに設けられた雌ねじ部１１ｄと、パッキンホルダー１３の凸部外周面に設けられた雄ねじ部１３ａが螺合されることによってホースジョイント１２が固定される。
【００２０】
蓋体１１は図２のように、外壁部１１ａ、排水管接続部１１ｂ、ホース接続部１１ｃから構成されている。外壁部１１ａは略正方形の溝状の床面開口部Ｂにはめ込まれるために上面視正方形となっている。また、所定の位置に床面との固定をするためのねじ穴１１ｅが設けられている。
【００２１】
蓋体１１の外壁部１１ａは上面視略正方形で、床面に設けられた排水トラップ取り付け用のねじ穴と排水トラップ１０のねじ穴が、床面開口部に排水トラップ１０をはめ込むだけで位置決めされるので、従来の円形状の蓋体で問題となっていた、位置あわせの煩わしさから解放されるという利点がある。なお、ビス等でねじ止めされた後はビスキャップ等でねじ部１１ｅを覆い保護すると外観上も良好で、ごみ等が堆積することもない。
【００２２】
また、蓋体１１の中心部には下向きに円筒形の排水管接続部１１ｂが形成されている。排水管接続部１１ｂの外径は排水管の内径に公差を持たせた径となっていて排水管内に挿入される構造となっている。
【００２３】
また、蓋体１１の上部中心部にはリング状の溝部を有したホース接続部１１ｃが形成されており、その空間にホースジョイント１２及びパッキンホルダー１３が挿入固定される。内面には雌ねじ部１１ｄが形成されていて、雌ねじ部１１ｄは後述するパッキンホルダー１３のフランジ部１３ａの外周部分に形成された雄ねじ部１３ｂがねじ込まれる。
【００２４】
蓋体が特許文献１のような従来の排水トラップの場合、ホース接続部は蓋体と床面をねじ止めする面よりも上方に突設されたフランジ形状となっているが、本発明のホース接続部１１ｃの形状は、円形の溝状に形成されていて、蓋体と床面をねじ止めする面、つまり上面よりも下方内部に形成されているため、床面から蓋体上端部までの高さが非常に低くなっている。
【００２５】
次に、パッキンホルダー１３は図３のように、外方張出フランジ形状であって、中心にはホースジョイント１２を挿通するための孔が設けられており、凸部外周面に雄ねじ部１３ａを有した形状となっている。また、凸部内面は図３（ｂ）の断面図のようにテーパー部１３ｂが形成されている。また、パッキンホルダー１３の上面にはノブ１３ｃが設けられている。
【００２６】
パッキンホルダー１３は、雄ねじ部１３ａと蓋体１１の雌ねじ部１１ｄとがねじ込まれて蓋体１１に固定される。このパッキンホルダー１３の役割はホースジョイント１２を回転可能に蓋体１１に固定するためのものである。ホースジョイント１２は洗濯機ホースとの接続部であり、洗濯機や防水パンの設置位置によってその向きが決定される。そのため、ホースジョイント１２は回転可能となっていて、向きが決定したのちはしっかりと固定されなければならない。
【００２７】
そこで、パッキンホルダー１３の凸部内面に形成されたテーパー部１３ｂとホースジョイント１２に設けられ対向するテーパー部分が圧接されながら、蓋体１１にねじ込まれていく。パッキンホルダー１３の底部と蓋体１１との間にはリング状のパッキン１５が備えられていて、確実に係止結合されると同時に水密性を保っている。
【００２８】
また、パッキンホルダー１３に設けられたノブ１３ｃを把持してねじ込むことによって蓋体１１へのねじ込み作業が簡便となる。
さらに、ノブ１３ｃにはねじ込み量の目印の役割もある。ノブ１３ｃを把持して複数周回転ねじ込まれたのち、パッキン１５を押しつぶしながら回転するのでパッキンホルダー１３を回転させるための力が徐々に大きくなっていき、最終的にはノブ１３ｃの先端が蓋体１１の所定の位置まで回転すると、ホースジョイント１２が確実に固定されたことを確認することができる目印の役割も果たす。なお、本実施例では図１のノブ１３ｃの位置が固定確認の目安位置となるように構成されている。
これによって、固定力不足による水漏れや、逆に強く締め込みすぎによるパッキン１５の早期劣化の防止、さらにはパッキン１５やねじ部等の破損を予防することができる。
【００２９】
パッキンホルダー１３は蓋体にねじ込まれると、その上面は図１のように蓋体の上面と面一となり、床面からの高さが非常に低くなる。このため、実質床面より突出している部分はホースジョイント１２だけとなるので、洗濯機や防水パンの設置や移動の邪魔にならず、スペースを有効活用することができるという非常に優れた利点がある。
【産業上の利用可能性】
【００３０】
本発明の活用例としては、洗い場或いはバスルームやマンションの台所、洗面所、ベランダ或いは各種キャビネット等の排水トラップとして利用することができる。
【符号の説明】
【００３１】
Ａ      床面
Ｂ      床面開口部
Ｃ      排水管
１０    排水トラップ
１１    蓋体
１１ａ  外壁部
１１ｂ  排水管接続部
１１ｃ  ホース接続部
１１ｄ  雌ねじ部
１１ｅ  ねじ穴
１２    ホースジョイント
１３    パッキンホルダー
１３ａ  雄ねじ部
１３ｂ  テーパー部
１３ｃ  ノブ
１４    封水筒体
１５    パッキン
【図１】
0006029130.tif 000002
【図２】
0006029130.tif 000003
【図３】
0006029130.tif 000004